(57)【要約】【課題】  先端に赤外線ＬＥＤなどの発光素子を設けた器具を挿入して行う不正行為を防止する。【解決手段】  メダルセレクタ１は通常２つのセンサを備えるが、その一方のセンサとして第１組Ｓ３ａの発光素子及び受光素子と第２組Ｓ３ｂの発光素子及び受光素子とを互いに近接して設け、前記第１組の発光素子Ｓ３ａ−ａ又は前記第２組の発光素子Ｓ３ｂ−ａのいずれか一方のみを選択して発光させる。遊技機のメイン基板２００のＣＰＵは、選択されている組の受光素子の出力に基づきメダルを計数するとともに、選択されていない組の受光信号の出力に基づき不正行為の有無を判定する。【選択図】        図３
2005339289.tif 000002
【特許請求の範囲】
【請求項１】
メダル投入口から投入されたメダルを転動させるメダル通路と、発光素子及び受光素子を含み前記メダル通路に設けられるメダル検出用のセンサとを備え、メダル投入口から投入されたメダルを計数するメダルセレクタにおいて、
前記センサに複数組の発光素子及び受光素子を設け、
発光素子及び受光素子の組の一部を選択し、選択した組の発光素子を発光させる発光素子選択回路と、
選択された組の受光素子の信号を選択して出力する受光素子選択回路とを備えるメダルセレクタ。
【請求項２】
前記複数組の発光素子及び受光素子の全部又は一部を、メダルがいずれかの組の発光素子及び受光素子に達したとき他の組の発光素子及び受光素子にも同時に達するように、メダルの外周に沿って配置したことを特徴とする請求項１記載のメダルセレクタ。
【請求項３】
前記複数組の発光素子及び受光素子の全部又は一部を、メダルがいずれかの組の発光素子及び受光素子から離れたとき他の組の発光素子及び受光素子からも同時に離れるように、メダルの外周に沿って配置したことを特徴とする請求項１記載のメダルセレクタ。
【請求項４】
メダルの外周に沿って配置された複数組の発光素子及び受光素子をメダルの進行方向に垂直な直線上に配置したことを特徴とする請求項２又は請求項３記載のメダルセレクタ。
【請求項５】
前記複数組の発光素子及び受光素子のうち全部又は一部を、互いに近接して配置したことを特徴とする請求項２又は請求項３記載のメダルセレクタ。
【請求項６】
前記発光素子選択回路は、前記複数組の発光素子からランダムに少なくともひとつを選択することを特徴とする請求項１乃至請求項５いずれかに記載のメダルセレクタ。
【請求項７】
選択されている組の受光素子の出力と選択されていない組の受光素子の出力が同時に変化したとき不正行為と判定する不正行為検出回路をさらに備えることを特徴とする請求項１乃至請求項６いずれかに記載のメダルセレクタ。
【請求項８】
選択されていない組の受光素子の出力に信号が存在するとき不正行為と判定する不正行為検出回路をさらに備えることを特徴とする請求項１乃至請求項６いずれかに記載のメダルセレクタ。
【請求項９】
選択されている組の受光素子の出力に選択に係る信号が現れていないとき、又は、選択されていない組の受光素子の出力に選択に係る信号が現れていないとき不正行為と判定する不正行為検出回路をさらに備えることを特徴とする請求項１乃至請求項６いずれかに記載のメダルセレクタ。
【請求項１０】
前記受光素子選択回路に代えて、選択された組の受光素子の出力と選択されていない組の受光素子の出力を合成する出力合成回路を備えることを特徴とする請求項１乃至請求項９いずれかに記載のメダルセレクタ。
【請求項１１】
メダル投入口から投入されたメダルを転動させるメダル通路と、発光素子及び受光素子を含み前記メダル通路に設けられるメダル検出用のセンサと、前記センサの出力に基づき投入されたメダルの枚数を計数する制御部とを備える遊技機において、
前記センサに複数組の発光素子及び受光素子を設け、
発光素子及び受光素子の組の一部を選択し、選択した組の発光素子を発光させる発光素子選択回路を備え、
前記制御部は、選択されている組の受光素子の出力に基づきメダルを計数するとともに、前記発光素子選択回路の選択信号及び前記複数組の受光素子の全部又は一部の出力信号に基づき不正行為を検出することを特徴とする遊技機。
【請求項１２】
前記制御部は、不正行為を検出したとき遊技機をエラー状態とし、遊技動作又はメダル払い出し動作を停止することを特徴とする請求項１１記載の遊技機。
【請求項１３】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力と選択されていない組の受光素子の出力が同時に変化したとき不正行為と判定するステップとを備える遊技機の不正行為検出方法。
【請求項１４】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されていない組の受光素子の出力に信号が存在するとき不正行為と判定するステップとを備える遊技機の不正行為検出方法。
【請求項１５】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力に選択に係る信号が現れていないとき、又は、選択されていない組の受光素子の出力に選択に係る信号が現れていないとき不正行為と判定するステップとを備える遊技機の不正行為検出方法。
【請求項１６】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機において、前記制御部に不正行為検出方法を実行させるためのプログラムであって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力と選択されていない組の受光素子の出力が同時に変化したとき不正行為と判定するステップとを実行させるためのプログラム。
【請求項１７】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機において、前記制御部に不正行為検出方法を実行させるためのプログラムであって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されていない組の受光素子の出力に信号が存在するとき不正行為と判定するステップとを実行させるためのプログラム。
【請求項１８】
メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機において、前記制御部に不正行為検出方法を実行させるためのプログラムであって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力に選択に係る信号が現れていないとき、又は、選択されていない組の受光素子の出力に選択に係る信号が現れていないとき不正行為と判定するステップとを実行させるためのプログラム。
【発明の詳細な説明】
【技術分野】
【０００１】
この発明は、スロットマシン等の遊技機に用いられるメダルセレクタ、遊技機及び遊技機の不正行為防止方法並びにプログラムに関する。
【背景技術】
【０００２】
スロットマシン等の遊技機は、遊技者が所定の枚数のメダル（遊技媒体）を遊技機に投入してゲームを楽しむことができるものである。遊技に必要なメダルは、遊技ホール内に設けられたメダル貸機等で借りることができ、所望の遊技機のメダル投入口にメダルを投入することによりゲームを開始することができる。
【０００３】
投入されたメダルは遊技機内部のメダルセレクタで選別される（不良メダルは返却される）とともに、投入されたメダルの枚数が計数される。この計数値がメダルの投入枚数として扱われ、この範囲内で遊技者は遊技を楽しむことができる。メダルを投入した後であっても、遊技によりクレジットを消費する前であれば投入したメダルの返却を求めることができる。返却操作のために遊技機の前面パネルにキャンセルボタンが設けられている。（図１の符号１３８参照）。
【０００４】
図１４はスロットマシンが備える従来のメダルセレクタの斜視図である。図１５及び図１６は従来のメダルセレクタの動作説明図である。図１４及び図１５において、１はメダルセレクタ、１１は下り傾斜したメダル通路、１２はメダルセレクタ１のメダル出口、Ｓ１及びＳ２はメダル通路１１に設けられたフォトインタラプタ（メダル検出のためのセンサ）である。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に戻る。
【０００５】
メダル出口１２の近傍には２つのメダルセンサＳ１，Ｓ２がメダルの進行方向に沿って並んで設けられている。メダルの検知は２つのセンサの検出順序により行われている。図１６はメダルＭが通過したときのセンサＳ１，Ｓ２の出力信号のタイミングチャートを示す。図１６の信号は低レベルがメダル通過状態を示す負論理である。図１５（ａ）に示すようにメダルＭが時刻ｔａでセンサＳ１に到達するとセンサＳ１がオンになる。この状態は同図（ｃ）でメダルＭが時刻ｔｃでセンサＳ１から離れるまで継続する。同図（ｂ）に示すようにメダルＭが時刻ｔｂでセンサＳ２に到達するとセンサＳ２がオンになる。この状態は同図（ｄ）でメダルＭが時刻ｔｄでセンサＳ２から離れるまで継続する。
【０００６】
図１６に示すように手前側に設けられているセンサＳ１の信号の位相は、Ｓ２のそれよりも進んでいる。センサＳ１，Ｓ２により途中で阻止されずに送られてきたメダルの通過が検出される。Ｓ１，Ｓ２を２つ隣接させて設けているので、メダルの通過速度や通過方向を検出することができ、これらに基づきメダル枚数だけでなく、メダルの逆流やセルロイドなどを用いた不正行為を検出することができる。また、メダルセンサＳ１，Ｓ２をメダル入り口から遠い側に設けることにより、不正行為をやりにくくしている。
【発明の開示】
【発明が解決しようとする課題】
【０００７】
遊技機に対する不正行為（いわゆるゴト行為）が増えてきていて、これによる被害も増大しつつある。しかも不正行為の手法も時とともに巧妙になってきている。そのひとつとしてメダル投入口から不正行為用の器具を挿入し、メダルセレクタのメダル計数機能を不正に操作し誤動作させ、メダルを投入していないにもかかわらず不正に多数のクレジットを得るという手口がある。
【０００８】
先端に赤外線ＬＥＤなどの発光素子を２つ設けた器具を挿入し、これらをセンサＳ１，Ｓ２に向けて点滅させることにより図１６の信号を作り出し、不正なクレジットを得ているようである。不正に得たクレジットで遊技を行うことができるが、多くの場合、キャンセルボタンによりメダルの返却を受けているようである。メダルセレクタに対する不正行為の発見は遅れるケースが多く、被害の拡大が懸念されている。
【０００９】
本発明は上記課題を解決するためになされたもので、上記不正行為を防止できるメダルセレクタ、遊技機及び遊技機の不正行為防止方法並びにプログラムを提供することを目的とする。
【課題を解決するための手段】
【００１０】
上記課題を解決するために、本発明は典型的には次のような手段を備える。すなわち、メダル投入口から投入されたメダルを転動させるメダル通路と、対向して設けられた発光素子及び受光素子を含み前記メダル通路に設けられるメダル検出用の第１センサ及び第２センサとを含むメダルセレクタと、前記メダルセレクタの第１センサ及び第２センサの出力に基づきメダル投入口から投入されたメダルを計数する制御部とを備える遊技機において、
前記第２センサとして第１組の発光素子及び受光素子と第２組の発光素子及び受光素子とを互いに近接して設け、前記第１組の発光素子又は前記第２組の発光素子のいずれか一方が選択されて発光し（好ましくはランダムに選択）、
前記制御部は、前記第２センサにおいて選択されている組の受光素子の出力に基づきメダルを計数するとともに、下記（１）〜（３）のいずれかに該当する場合に不正行為と判定することを特徴とする。
（１）選択されている組の受光素子の出力と選択されていない組の受光素子の出力が同時に変化したとき
（２）選択されていない組の受光素子の出力に信号が存在するとき
（３）選択されている組の受光素子の出力に選択に係る信号が現れていないとき、又は、選択されていない組の受光素子の出力に選択に係る信号が現れていないとき
なお、複数組の発光素子及び受光素子を前記第１センサに設けるようにしてもよい。
【００１１】
好ましくは、前記複数組の発光素子及び受光素子の全部又は一部を、メダルがいずれかの組の発光素子及び受光素子に達したとき他の組の発光素子及び受光素子にも同時に達するように、メダルの外周に沿って配置する。第１組の発光素子及び受光素子と第２組の発光素子及び受光素子を同じメダル円周上に存在するように配置する。
【００１２】
好ましくは、前記複数組の発光素子及び受光素子の全部又は一部を、メダルがいずれかの組の発光素子及び受光素子から離れたとき他の組の発光素子及び受光素子からも同時に離れるように、メダルの外周に沿って配置する。
【００１３】
第１組の発光素子及び受光素子と第２組の発光素子及び受光素子とを互いに近接して設けることに代えて、メダルの進行方向に垂直な直線上に配置するようにしてもよい。
【００１４】
選択された組の受光素子の出力と選択されていない組の受光素子の出力を合成する出力合成回路を備えてもよい。
【００１５】
この発明は、メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力と選択されていない組の受光素子の出力が同時に変化したとき不正行為と判定するステップとを備えるものである。
【００１６】
この発明は、メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されていない組の受光素子の出力に信号が存在するとき不正行為と判定するステップとを備えるものである。
【００１７】
この発明は、メダル投入口から投入されたメダルを転動させるメダル通路と、複数組の発光素子及び受光素子を含み前記メダル通路に設けられるメダル検出用のセンサと、前記センサの出力に基づき投入されたメダルの枚数を計数する制御部とを備える遊技機の不正行為検出方法であって、
発光素子及び受光素子の組の一部を選択し、選択した組の発光素子を発光させるステップと、
選択されている組の受光素子の出力と選択されていない組の受光素子の出力を監視するステップと、
選択されている組の受光素子の出力に基づき投入メダルを計数するステップと、
選択されている組の受光素子の出力に選択に係る信号が現れていないとき、又は、選択されていない組の受光素子の出力に選択に係る信号が現れていないとき不正行為と判定するステップとを備えるものである。
【００１８】
この発明は、上記方法をコンピュータを含む制御部に実行させるためのものである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１９】
また、電話回線等の有線通信媒体、マイクロ波回線等の無線通信媒体等の通信媒体を含む。インターネットもここでいう通信媒体に含まれる。
【００２０】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２１】
本発明によれば、メダルセレクタのメダル検出用のセンサに複数組の発光素子及び受光素子を設け、発光素子及び受光素子の組の一部を選択し、選択した組の発光素子を発光させるようにしたので、不正行為用装置からの信号を識別し、不正行為を検出することができる。
【発明を実施するための最良の形態】
【００２２】
発明の実施の形態１．
この発明の実施の形態に係るスロットマシン及びその不正行為の防止方法について図面を参照して説明する。
【００２３】
図１は前扉を閉めた状態を示すスロットマシンの正面図、図２は前扉を１８０度開いた状態を示すスロットマシンの正面図を示す。
【００２４】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２５】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。遊技用のメダルをメダル投入口１３２に投入するか若しくはベットスイッチ１３７の操作を条件に、スタートスイッチ１３４を操作すると３つのリールが回転を開始し、ゲームがスタートする。キャンセルスイッチ（キャンセルボタンとも呼ぶ）１３８は投入済みのメダルの返却を求めるためのものである。
【００２６】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。
【００２７】
前記前扉１３０の裏面には、図２に示すように、メダルセレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２８】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２９】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３０】
図３はスロットマシンの機能ブロック図を示す。２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。
【００３１】
メダルセレクタ１が反射型や透過型の２つのセンサＳ１とＳ３を含む点は従来と同じであるが、センサＳ３に２組（３組以上であってもよい）の発光素子と受光素子を備えることを特徴とする（なお、センサＳ１に２組以上の発光素子と受光素子を設けてもよい）。すなわち、センサＳ３として第１組Ｓ３ａの発光素子Ｓ３ａ−ａ及び受光素子Ｓ３ａ−ｂと第２組Ｓ３ｂの発光素子Ｓ３ｂ−ａ及び受光素子Ｓ３ｂ−ｂとを互いに近接して設けている（好ましくはメダルが一方の組の発光素子及び受光素子に達したとき他方の組の発光素子及び受光素子にも同時に達するように、つまり第１組の発光素子及び受光素子と第２組の発光素子及び受光素子は同じメダル円周上に存在するように配置される）。さらに、第１組の発光素子Ｓ３ａ−ａ又は第２組の発光素子Ｓ３ｂ−ａのいずれか一方を選択して発光させる発光素子選択回路１３と、発光素子選択回路１３と同期して第１組の受光素子Ｓ３ａ−ｂ又は第２組の受光素子Ｓ３ｂ−ｂのいずれか一方を選択してその出力信号を送出する受光素子選択回路１４とを備える。
【００３２】
発光素子選択回路１３は、不正行為が困難になるように、複数組の発光素子からランダムに少なくともひとつを選択する。選択の切り替えタイミングは不規則であるし、どの発光素子を使用するかも予め決められていない。発光素子選択回路１３は、乱数信号に基づき選択を行うことが好ましい。乱数信号として、例えばメイン基板２００で生成される抽選処理用の乱数信号を利用することができる。
【００３３】
メイン基板２００のＣＰＵは、センサＳ３において選択されている組の受光素子の出力に基づき従来と同様にメダルを計数する。
【００３４】
さらに、メダルセレクタ１は不正行為検出回路１５を備える（なお、不正行為検出回路１５はメダルセレクタ１の外部（例えばメイン基板２００）に設けられてもよいし、ハードウエアに代えてソフトウエアにより（例えばメイン基板２００のＣＰＵで）不正行為検出を行ってもよい）。不正行為検出回路１５は、下記（１）〜（３）のいずれかに該当する場合に不正行為と判定する。
（１）選択されている組の受光素子の出力と選択されていない組の受光素子の出力が同時に変化したとき
（２）選択されていない組の受光素子の出力に信号が存在するとき
（３）選択されている組の受光素子の出力に選択に係る信号が現れていないとき、又は、選択されていない組の受光素子の出力に選択に係る信号が現れていないとき
【００３５】
発光素子選択回路１３、受光素子選択回路１４及び不正行為検出回路１５は基板に設けられるが、これはメダルセレクタ１の内部に設けてもよいし、外部に設けてもよい。あるいはメイン基板１内に設けてもよい。また、センサ自体にこれらの機能の全部又は一部を持たせるようにしてもよい。センサをモジュール化してもよい。例えば、センサをパッケージに収納し、パッケージ内に半導体チップを設け、発光素子選択回路１３、受光素子選択回路１４及び不正行為検出回路１５の機能の一部又は全部を実行させるようにしてもよい。
【００３６】
不正行為用装置は２個以上のＬＥＤを備え、赤外線を常時発光した状態でセンサ部に配置し、この状態で赤外線をメダル進行方向に順に点滅させることにより、センサを欺きメダルのカウントを得ている。本発明の実施の形態では、少なくとも一方のセンサを二重にし、さらにその２つを排他的に作動（例えばセンサの発光を制御基板内の乱数抽選により制御）させる。アクティブ側の受光素子がオンになったときに、非アクティブ側が受光していないことをチェックすることにより、正しい出力か、不正行為用の道具によるものか判別できる。不正行為用の道具は連続で投入したように見せるので、オン／オフが正しいかどうかの確率は１／２ｎ（ｎ＝チェック回数）となり、発光素子及び受光素子の組の切り替えの乱数がわからない限り不正行為用道具がこのセンサを誤動作させることはほぼ不可能になる。
【００３７】
図４にセンサＳ１とＳ３ａ，Ｓ３ｂの配置例を示す。同図の配置は、第１組Ｓ３ａの発光素子及び受光素子と第２組Ｓ３ｂの発光素子及び受光素子をメダルＭの外周（より正確には進行方向側の円周）に沿って配置したことを特徴とする。この配置により、メダルＭが一方の組の発光素子及び受光素子に達したとき他の組の発光素子及び受光素子にも同時に達する（図４のメダルＭはこのときの状態を示す）。各組において発光素子と受光素子は対向して配置され、対応する発光素子の光のみが受光素子に入力され、他組の発光素子の光が受光素子に入力されることはない。
【００３８】
図４の配置は、第１組Ｓ３ａの発光素子及び受光素子と第２組Ｓ３ｂの発光素子及び受光素子を、互いに近接して配置したことも特徴とする。近接の程度は、不正行為用装置の発光素子の光を第１組Ｓ３ａの受光素子と第２組Ｓ３ｂの受光素子が同時に受ける程度である。第１組Ｓ３ａと第２組いずれについても発光素子と受光素子の位置関係は固定であるので、発光素子及び受光素子の指向性を鋭くすることにより、第１組Ｓ３ａの発光素子及び受光素子と第２組Ｓ３ｂの発光素子及び受光素子を近接して配置したとしても、一方の組の発光素子の光が他方の組の受光素子に漏れることがないようにできる。しかし、不正行為用装置の発光素子は、多少位置がずれていても受光素子に光を入力できるように広範囲に放射されると考えられるし、不正行為用装置を人手で支えることから多少の揺れも生じると考えられる。そのため、第１組Ｓ３ａの発光素子及び受光素子と第２組Ｓ３ｂの発光素子及び受光素子を近接して配置することにより、前述の（１）選択されている組の受光素子の出力と選択されていない組の受光素子の出力が同時に変化したとき、（２）選択されていない組の受光素子の出力に信号が存在するとき、に不正行為と判定することができる。
【００３９】
図５は発明の実施の形態の動作説明図である。図５（ａ）〜図５（ｄ）の順にメダルＭがメダル通路１１を転動していく様子を示す。同図（ａ）はメダルＭがセンサＳ１に到達した状態を示し、同図（ｂ）はメダルＭがセンサＳ３ａ，Ｓ３ｂに到達した状態を示し、同図（ｃ）はメダルＭがセンサＳ１から離れた状態を示し、同図（ｄ）はメダルＭがセンサＳ３ａから離れた状態（符号Ｍ）とセンサＳ３ｂから離れた状態（符号Ｍ’）を示す。
【００４０】
図６はメダルＭが通過したときのセンサＳ１，Ｓ３ａ，Ｓ３ｂの出力信号のタイミングチャートを示す。同図の信号は低レベルがメダル通過状態を示す負論理である。最上段のセンサＳ１のタイミングチャートは従来の場合と同じである。なお、図中の信号の立下り（オンのタイミング）又は立ち上がり（オフのタイミング）の一部に丸印を付しているが、これは当該タイミングでメダルの計数処理を行うという意味である（別のタイミングチャートにおいて丸印を当該タイミングで不正処理の判定を行うという意味にも使用することがある）。
【００４１】
上から２段目は、センサＳ１との対比のためにセンサＳ３ａとＳ３ｂの両方を合成して表示したものである。これらを合成したものは従来のセンサＳ２と同様の信号になるが、センサＳ３ａとＳ３ｂの取り付け位置が異なる関係上、それらのどちらが選択されていたかによりオフになるタイミングが若干異なる（ｔｄとｔｄ’）。センサＳ３ａが選択されていればｔｄのタイミングでオフになるし（図５（ｄ）のメダルＭの位置）、センサＳ３ｂが選択されていればｔｄ’のタイミングでオフになる（図５（ｄ）のメダルＭ’の位置）。したがって、ｔｄとｔｄ’の間で選択の切り替えが行われれば、センサＳ３ａとＳ３ｂの受光信号の両方にオンからオフへの変化が現れることになる。このような状態はめったに生じないと考えられるが、このことを考慮すると、不正行為検出の信頼性の点では後述のオフからオンへのタイミングの方が優れている（なお、センサをメダルＭの進行方向と反対側の円周上に配置するようにすれば、オンからオフへのタイミングは同時になる）。
【００４２】
なお、この合成信号は説明の理解を助けるためのものであって、合成信号を生成する回路を設けてもよい（発明の実施の形態２参照）が、当該信号を実際に生成することは必須ではない。
【００４３】
図６に示すようにメダルＭが時刻ｔａでセンサＳ１に到達するとセンサＳ１がオンになる。この状態は図５（ｃ）でメダルＭが時刻ｔｃでセンサＳ１から離れるまで継続する。図５（ｂ）に示すようにメダルＭが時刻ｔｂでセンサＳ３ａ，Ｓ３ｂに到達するとセンサＳ３がオンになる。センサＳ３ａ，Ｓ３ｂはメダルＭの円周上に配置されているので同時にオンになる。実際にはセンサＳ３ａ，Ｓ３ｂのいずれか一方のみが選択されているから、センサＳ３ａ，Ｓ３ｂのいずれか一方のみでメダルＭによるオンを検出するということである（図６ではセンサＳ３ａで検出している）。したがって、正常状態において２組の受光素子の出力が同時にオンになることはあり得ず、そのような状態が生じたとすれば不正行為と判定できる。図４のようなセンサの配置では、オン状態への変化の監視が特に重要である。
【００４４】
上から３段目はセンサＳ３ａの選択状態を示す信号、４段目はセンサＳ３ｂの選択状態を示す信号、５段目はセンサＳ３ａの受光信号（出力信号）、６段目はセンサＳ３ｂの受光信号（出力信号）を示す。センサの選択はランダムに行われている。選択され、有効になっている方の受光素子の信号が受光素子選択回路１４で選択され、出力される。この出力に基づいてメダルの計数処理が行われる。なお、メダル通過中に、５段目のセンサＳ３ａの受光信号、６段目のセンサＳ３ｂの受光信号においてオンオフが繰り返されているが、これらの多くは発光素子選択回路１３の選択によるもので、メダルＭによるオンオフは受光素子が有効になっている期間に検出されたもの（図中で丸印を付したもの）のみである。
【００４５】
図６の５段目と６段目の受光信号のタイミングチャートからわかるように、選択されている組の受光素子の出力には選択に係る信号が現れる。例えば、センサＳ３ｂが選択されている図６のａの部分において、センサＳ３ｂの受光信号に選択に係る信号ａと同じ信号ａが現れている（選択信号は正論理、受光信号は負論理で論理が逆なので見かけ上は波形が反転しているが同じ信号である）。センサＳ３ａが選択されている図６のｂの部分において、同様にセンサＳ３ａの受光信号に選択に係る信号ｂと同じ信号ｂが現れている。同じことを選択されていない組について表現すれば、選択されていない組の受光素子の出力に選択に係る信号が現れる、と言える。図６のａの部分でセンサＳ３ａの受光信号に選択に係る信号ａと同じ信号ａ’が現れて、ｂの部分でセンサＳ３ｂの受光信号に選択に係る信号ｂと同じ信号ｂ’が現れている。つまり、不正行為が行われていないときは、（ア）選択されている組の受光素子の出力に選択に係る信号が現れ、かつ、（イ）選択されていない組の受光素子の出力に選択に係る信号が現れる、のである。（ア）又は（イ）いずれか一方の状態が破られたとき不正行為の可能性がある。前述の（３）はこのような観点から不正行為を判断するものである。
【００４６】
なお、図６において選択を切り替える周期がメダル検出期間よりも短いが、本発明の実施の形態はこれに限定されず、選択を切り替える周期がメダル検出期間よりも長い場合にも適用できる（ただしその場合、前述の（３）のやり方は適用できない）。
【００４７】
次に図７のフローチャートを参照して、本発明の実施の形態におけるメダル計数処理について説明する。
【００４８】
Ｓ１：センサＳ３ａ，Ｓ３ｂのいずれか一方をランダムに選択し、動作状態にする。
Ｓ２：センサＳ１とセンサＳ３ａ及びＳ３ｂのうち選択された方を監視する。
【００４９】
Ｓ３：センサＳ１とセンサＳ３ａ、Ｓ３ｂのうち選択された方のオンオフの変化の順番が次のとおりであるかどうか判定する（図６の○印部分参照）。
（ａ）センサＳ１がオフからオンへ
（ｂ）センサＳ３ａ及びＳ３ｂのうち選択された方がオフからオンへ
（ｃ）センサＳ１がオンからオフへ
（ｄ）センサＳ３ａ及びＳ３ｂのうち選択された方がオンからオフへ
上記（１）〜（４）の順番で受光信号が変化していた場合（図７のＳ３でＹＥＳ）、Ｓ４の処理を行う。上記（１）〜（４）のいずれかの順番が入れ替わっていた場合（図７のＳ３でＮＯ）、Ｓ５の処理を行う。
【００５０】
Ｓ４：メダルが１枚投入されたと判定してメダルの投入枚数を１だけ増やす。
Ｓ５：メダルの逆流や不正行為と考えられるので、メダルの投入枚数を変化させない。
【００５１】
次に図８を参照して不正行為の場合について説明する。不正行為用装置は２個以上のＬＥＤを備え、赤外線を常時発光した状態でセンサ部に配置し、この状態で赤外線をメダル進行方向に順に点滅させることにより、センサを欺きメダルのカウントを得るというものである。例えば、センサＳ１に対して図６の１段目の発光信号を送り、センサＳ３に対して同２段目の発光信号を送る。前述のようにセンサＳ３ａとＳ３ｂは近接して配置されているから、不正行為用装置からの発光信号は２組のセンサＳ３ａとＳ３ｂの両方の受光素子で検出されると考えられるので、図８の５段目と６段目に示すようにセンサＳ３ａとＳ３ｂの受光信号は同時にオンオフする。
【００５２】
しかも、これら受光信号には選択に係るオンオフが現れない。センサＳ３ｂが選択されているはずの図８のａの部分において、センサＳ３ｂの受光信号に選択に係る信号ａと同じ信号が現れていないし、しかも選択されていない組のセンサＳ３ａの受光信号にも選択に係る信号ａと同じ信号が現れていない。センサＳ３ａが選択されている図８のｂの部分についても同じである。つまり、（ア）選択されている組の受光素子の出力に選択に係る信号が現れるという条件と、（イ）選択されていない組の受光素子の出力に選択に係る信号が現れるという条件の両方が破られているのである。なお、実際に不正行為を検出するに際しては、センサＳ３ａ又はセンサＳ３ｂの一方について選択に係る信号が現れているかどうか判定すれば十分である。
【００５３】
以上のことを参照して、図９のフローチャートに基づき本発明の実施の形態における不正行為検出処理について説明する。
【００５４】
Ｓ１０：センサＳ３ａ，Ｓ３ｂのいずれか一方をランダムに選択し、動作状態にする。このとき選択されていない方を非動作状態にする。
Ｓ１１：センサＳ３ａ及びＳ３ｂ両方の出力を監視する。
【００５５】
Ｓ１２：動作状態のセンサと非動作状態のオンオフ動作が同じかどうか判定する。具体的には各受光信号の立下り・立ち上がりタイミングが一致しているかどうか調べる。図８の例では丸印で示すようにこれらタイミングが一致している（ＹＥＳ）ので、Ｓ１３及びＳ１４の処理を行う。そうでなければ（ＮＯ）不正行為ではないと判定できるので、通常のメダル検出処理（図７）を実行する。図６に示すように正常なメダル検出の場合は動作状態のセンサと非動作状態のオンオフ動作は異なる。なお、図４のセンサの配置の場合、前述のように受光信号の立下り（オフからオンのタイミング）の監視が有効である。
【００５６】
Ｓ１３：不正行為と判定されたのでエラーフラグをセットし、エラー信号を出力する。
Ｓ１４：遊技受付及びメダルの払い出しを停止し、不正行為者に利益を与えないようにする。この状態はホールの係員が遊技機をリセットするまで継続する。
【００５７】
図１０に本発明の実施の形態における他の不正行為検出処理を示す。Ｓ１０、Ｓ１３及びＳ１４の処理は同じなのでこれらの説明は割愛する。
【００５８】
Ｓ１１ｂ：非動作状態のセンサの出力を監視する。
Ｓ１２ｂ：非動作状態のセンサの出力が存在しないかどうか判定する。存在しない場合（ＹＥＳ）不正行為ではないと判定できるので、通常のメダル検出処理（図７）を実行する。存在する場合（ＮＯ）不正行為と判定できるので、Ｓ１３及びＳ１４の処理を行う。
【００５９】
図１１に本発明の実施の形態における他の不正行為検出処理を示す。Ｓ１０、Ｓ１３及びＳ１４の処理は同じなのでこれらの説明は割愛する。
【００６０】
Ｓ１１ｃ：センサＳ３ａ又はＳ３ｂの少なくとも一方の出力を監視する。
Ｓ１２ｃ：動作状態又は非動作状態のセンサ出力に選択の切り替え信号が現れているかどうか調べる。例えば、メダル通過中において、信号の立下り・立ち上がりのタイミングが選択の切り替えと同期しているかどうか調べたり（メダル通過中かどうかはセンサＳ１の信号でわかる）、受光信号にメダル検出信号よりも高い周波数の信号が含まれているかどうか調べる。その結果、選択の切り替え信号が現れている場合（ＹＥＳ）不正行為ではないと判定できるので、通常のメダル検出処理（図７）を実行する。現れていない場合（ＮＯ）不正行為と判定できるので、Ｓ１３及びＳ１４の処理を行う。
【００６１】
図１２にセンサＳ１とＳ３ａ，Ｓ３ｂの他の配置例を示す。同図の配置は、第１組Ｓ３ａの発光素子及び受光素子と第２組Ｓ３ｂの発光素子及び受光素子をメダルＭの外周（より正確には進行方向側の円周）に沿って配置した点で図４のものと同じであるが、第１組Ｓ３ａの発光素子及び受光素子と第２組Ｓ３ｂの発光素子及び受光素子が離隔して配置されていることを特徴とする。正確には、メダルの外周に沿って配置された２組の発光素子及び受光素子をメダルの進行方向に垂直な直線Ｌ上に配置したものである。この配置は、メダルがいずれかの組の発光素子及び受光素子に達したとき他の組の発光素子及び受光素子にも同時に達するという条件と、メダルがいずれかの組の発光素子及び受光素子から離れたとき他の組の発光素子及び受光素子からも同時に離れるという条件の両方を満足するものである。
この配置では前述の構成をもつ不正行為用装置からの光が２組の受光素子に同時に入力されることがないと考えられるが、他方、図６で示したオンからオフのタイミングのずれｔｄ、ｔｄ’は生じないので、センサＳ３ａとＳ３ｂの受光信号の両方にオンからオフへの変化が現れることがなくなり、不正行為の判定を確実に行えるようになる。また、２組の発光素子及び受光素子を離隔して配置することにより、２つのＬＥＤを用いた不正行為用装置ではセンサを欺くことはできなくなる。
【００６２】
発明の実施の形態１によれば、センサに２組の発光素子と受光素子を設け、一方の組を動作状態・他方の組を非動作状態にランダムに選択し、その選択の状態に応じてメダルの計数処理を行うとともに不正行為検出処理を行うようにしたので、不正行為の道具でメダルセレクタのセンサを欺こうとしている場合と実際にメダルを投入した場合を判別することができ、不正行為を検出することができる。不正行為を検出したらエラー報知するとともに、遊技受付及びメダルの払い出しを停止するので不正行為者に利益を与えることを防止できる。
【００６３】
発明の実施の形態２．
発明の実施の形態１の受光素子選択回路に代えて、図１３に示すように出力合成回路１６を設けるようにしてもよい。出力合成回路１６は発光素子Ｓ３ａ−ｂの出力と発光素子Ｓ３ｂ−ｂの出力を合成してメダル検出信号とするものであり、例えば図６の２段目のセンサＳ３のような信号を出力する。この信号では選択に係る信号が除去されており、従来のメダルセレクタにおけるセンサＳ２の出力信号と同じになるので、出力合成回路１６を設ければ従来と同じ回路・処理でメダル計数処理を行うことができる。出力合成回路１６は、例えばＡＮＤ回路などの簡単な論理回路で実現できる。発明の実施の形態２においても、発明の実施の形態１と同様に不正行為を検出することができる。
【００６４】
本発明は、以上の実施の形態に限定されることなく、特許請求の範囲に記載された発明の範囲内で、種々の変更が可能であり、それらも本発明の範囲内に包含されるものであることは言うまでもない。
【００６５】
また、本明細書において、部とは必ずしも物理的手段を意味するものではなく、各部の機能が、ソフトウエアによって実現される場合も包含する。さらに、一つの部の機能が、二つ以上の物理的手段により実現されても、若しくは、二つ以上の部の機能が、一つの物理的手段により実現されてもよい。
【図面の簡単な説明】
【００６６】
【図１】遊技機の正面図である。
【図２】遊技機の前面を開いた状態を示す正面図である。
【図３】発明の実施の形態１に係る遊技機のブロック図である。
【図４】発明の実施の形態１に係るメダルセレクタにおけるセンサ配置の説明図である。
【図５】発明の実施の形態１に係るメダルセレクタの動作を説明するための図である。
【図６】発明の実施の形態１に係るメダルセレクタのセンサＳ１、Ｓ３ａ，Ｓ３ｂの出力信号を示すタイミングチャートである（正常時を示す）。
【図７】発明の実施の形態１に係るメダル計数処理のフローチャートである。
【図８】発明の実施の形態１に係るメダルセレクタのセンサＳ１、Ｓ３ａ，Ｓ３ｂの出力信号を示すタイミングチャートである（不正行為時を示す）。
【図９】発明の実施の形態１に係る不正行為検出処理のフローチャートである。
【図１０】発明の実施の形態１に係る他の不正行為検出処理のフローチャートである。
【図１１】発明の実施の形態１に係る他の不正行為検出処理のフローチャートである。
【図１２】発明の実施の形態１に係るメダルセレクタにおける他のセンサ配置の説明図である。
【図１３】発明の実施の形態２に係る遊技機のブロック図である。
【図１４】従来のメダルセレクタの斜視図である。
【図１５】従来のメダルセレクタの動作を説明するための図である。
【図１６】従来のメダルセレクタの２つのセンサの出力信号を示すタイミングチャートである。
【符号の説明】
【００６７】
１    メダルセレクタ
１１  メダル通路
１２  メダル出口
１３  発光素子選択回路
１４  受光素子選択回路
１５  不正行為検出回路
１６  出力合成回路
１００  スロットマシン
１２０  スロットマシン本体
１２１  ホッパ装置
１２２  ホッパタンク
１３０  前扉
１３１  ゲーム表示部
１３２  メダル投入口
１３３  リジェクトボタン
１３４  スタートスイッチ
１３５  メダル払い出し口
１３６  導出路
１３７  ベットスイッチ
１３８  キャンセルスイッチ（キャンセルボタン）
１４０  ストップボタン
２００  メイン基板（制御部）
２０１  サブ基板
２０２  操作部
２０３  リールユニット
２０４  演出表示部
２０５  電源部
Ｓ１  メダルセンサ
Ｓ３ａ  第１組のメダルセンサ
Ｓ３ａ−ａ  第１組の発光素子
Ｓ３ａ−ｂ  第１組の受光素子
Ｓ３ｂ  第２組のメダルセンサ
Ｓ３ｂ−ａ  第２組の発光素子
Ｓ３ｂ−ｂ  第２組の受光素子
Ｍ    メダル
【図１】
2005339289.tif 000003
【図２】
2005339289.tif 000004
【図３】
2005339289.tif 000005
【図４】
2005339289.tif 000006
【図５】
2005339289.tif 000007
【図６】
2005339289.tif 000008
【図７】
2005339289.tif 000009
【図８】
2005339289.tif 000010
【図９】
2005339289.tif 000011
【図１０】
2005339289.tif 000012
【図１１】
2005339289.tif 000013
【図１２】
2005339289.tif 000014
【図１３】
2005339289.tif 000015
【図１４】
2005339289.tif 000016
【図１５】
2005339289.tif 000017
【図１６】
2005339289.tif 000018